(57)【要約】【課題】  ユーザーが動画記録、静止画記録を個別に指定することは煩雑な操作を必要とする。さらに、同一シーンを撮影した場合、おすすめ静止画ととおすすめ動画では開始フレームが異なる。具体的には、おすすめ動画の開始はおすすめ静止画より前（過去）から始まることが多い。【解決手段】  画像データが連続で入力される状態で、シャッタボタン押下された画像データもしくはおすすめ静止画判定された画像データを含み、所定の条件を満たすと判断された動画区間をおすすめ動画として記録する。【選択図】  図３
2011109253.tif 000002
【特許請求の範囲】
【請求項１】
被写体を撮像し、前記被写体の画像データを出力する撮像手段によって静止画と動画を撮影可能な撮像装置であって、
前記動画の撮影中に、前記動画中のフレームに静止画再生用のマーキングをする第１のマーキング手段と、
前記動画の撮影中に、前記動画中のフレームに動画再生用のマーキングをする第２のマーキング手段と、を有し、
前記第２のマーキング手段は、前記動画中のフレームのうち、所定の条件を満たし、かつ前記第１のマーキング手段によってマーキングされているフレームを含む動画区間の両端のフレームに前記動画再生用のマーキングをすることを特徴とする撮像装置。
【請求項２】
前記撮像手段から出力された画像データ中の顔を検出する顔検出手段を有し、
前記所定の条件は、前記顔検出手段により顔が検出されていることであることを特徴とする請求項１に記載の撮像装置。
【請求項３】
前記撮像手段から出力された画像データ中の笑顔を検出する笑顔検出手段を有し、
前記第１のマーキング手段は、前記動画中のフレームのうち、前記笑顔検出手段によって笑顔が検出されたフレームにマーキングをすることを特徴とする請求項１または２に記載の撮像装置。
【請求項４】
前記撮像手段から出力された画像データ中の動体を検出する動体検出手段を有し、
前記所定の条件は、前記動体検出手段により動体が検出されていることであることを特徴とする請求項１に記載の撮像装置。
【請求項５】
前記第１のマーキング手段は、前記動画中のフレームのうち、前記動体検出手段によって動体が前記フレームの中央エリアに検出されたフレームにマーキングをすることを特徴とする請求項４に記載の撮像装置。
【請求項６】
被写体を撮像し、前記被写体の画像データを出力する撮像手段によって静止画と動画を撮影可能な撮像装置であって、
前記撮像手段から出力された画像データを一時的に記憶する記憶手段と、
静止画の撮影を指示する第１の指示手段と、
動画の撮影を指示する第２の指示手段と、を有し、
前記第２の指示手段は、前記撮像手段から出力される画像データのうち、所定の条件を満たし、かつ前記第１の指示手段によって行われた前記静止画の撮影に用いられた画像データを含む動画区間を動画として撮影することを指示することを特徴とする撮像装置。
【請求項７】
前記撮像手段から出力された画像データの合焦状態を判定する合焦判定手段を有し、
前記所定の条件は、前記合焦判定手段により合焦であると判定されていることであることを特徴とする請求項６に記載の撮像装置。
【請求項８】
前記撮像手段から出力された画像データ中の顔を検出する顔検出手段を有し、
前記所定の条件は、前記顔検出手段により顔が検出されていることであることを特徴とする請求項６に記載の撮像装置。
【請求項９】
前記撮像手段から出力された画像データ中の動体を検出する動体検出手段を有し、
前記所定の条件は、前記動体検出手段により動体が検出されていることであることを特徴とする請求項１に記載の撮像装置。
【請求項１０】
前記撮像手段から出力された画像データ中の笑顔を検出する笑顔検出手段を有し、
前記第１の指示手段は、前記撮像手段から出力された画像データに笑顔が検出されたときに前記静止画の撮影を指示することを特徴とする請求項６または８に記載の撮像装置。
【請求項１１】
前記第１の指示手段は、前記撮像手段から出力された画像データの中央エリアに動体が検出されたときに前記静止画の撮影を指示することを特徴とする請求項９に記載の撮像装置。
【請求項１２】
被写体を撮像し、前記被写体の画像データを出力する撮像手段によって静止画と動画を撮影可能な撮像装置の制御方法であって、
前記動画の撮影中に、前記動画中のフレームに静止画再生用のマーキングをする第１のマーキングステップと、
前記動画の撮影中に、前記動画中のフレームに動画再生用のマーキングをする第２のマーキングステップと、を有し、
前記第２のマーキングステップでは、前記第１のマーキングステップでのマーキングに応じて、前記動画中のフレームのうち、所定の条件を満たし、かつ前記第１のマーキングステップにてマーキングされているフレームを含む動画区間の両端のフレームに前記動画再生用のマーキングをすることを特徴とする撮像装置の制御方法。
【請求項１３】
被写体を撮像し、前記被写体の画像データを出力する撮像手段と、前記撮像手段から出力された画像データを一時的に記憶する記憶手段とを有し、静止画と動画を撮影可能な撮像装置の制御方法であって、
静止画の撮影を指示する第１の指示ステップと、
動画の撮影を指示する第２の指示ステップと、を有し、
前記第２の指示ステップでは、前記記憶手段に記憶される画像データのうち、所定の条件を満たし、かつ前記第１の指示ステップによって行われた前記静止画の撮影に用いられた画像データを含む動画区間を動画として撮影することを指示することを特徴とする撮像装置の制御方法。
【請求項１４】
請求項１２または１３に記載の撮像装置の制御方法の手順が記述されたコンピュータで実行可能なプログラム。
【請求項１５】
請求項１２または１３に記載の撮像装置の制御方法の手順が記述されたプログラムが記憶されたコンピュータが読み取り可能な記憶媒体。
【発明の詳細な説明】
【技術分野】
【０００１】
本発明は静止画及び動画が撮影可能な撮像装置に関する。
【背景技術】
【０００２】
静止画及び動画が撮影可能なカメラ等の撮像装置において、ベストシーンにマークをつけておくことができる機能がある。特許文献１には、動画マークと静止画マークを設定するボタンが個別に存在し、ユーザーが動画と静止画のボタンを押下することによりそれぞれのマークをつける。
【先行技術文献】
【特許文献】
【０００３】
【特許文献１】特開２００９−１００３１６号公報
【発明の概要】
【発明が解決しようとする課題】
【０００４】
動画マークと静止画マークを個別に指定するのは、同一シーンを撮影した場合、おすすめ静止画とおすすめ動画では開始フレームが異なる場合があるからである。具体的には、ある人物を捉えて動画撮影を行った場合、笑顔を検出したときをおすすめ静止画フレームとするならば、おすすめ動画の開始はこのおすすめ静止画より前（過去）から始まることが望ましい。しかし、そのようにユーザが動画マークと静止画マークを個別に指定するのは面倒である。
【０００５】
また、おすすめ静止画を撮影する場合、そのシーンの前後の様子を動画として記録できていれば便利である。
【０００６】
上記課題に鑑み、本発明は、ユーザが煩雑な操作を必要とせずに、簡単におすすめ静止画とおすすめ動画を得ることができる撮像装置を提供することを目的とする。
【課題を解決するための手段】
【０００７】
上記目的を達成するために、本発明は、請求項１に記載の通り、被写体を撮像し、前記被写体の画像データを出力する撮像手段によって静止画と動画を撮影可能な撮像装置であって、
前記動画の撮影中に、前記動画中のフレームに静止画再生用のマーキングをする第１のマーキング手段と、前記動画の撮影中に、前記動画中のフレームに動画再生用のマーキングをする第２のマーキング手段と、を有し、前記第２のマーキング手段は、前記動画中のフレームのうち、所定の条件を満たし、かつ前記第１のマーキング手段によってマーキングされているフレームを含む動画区間の両端のフレームに前記動画再生用のマーキングをすることを特徴とする。
【０００８】
また、本発明は、請求項６に記載の通り、被写体を撮像し、前記被写体の画像データを出力する撮像手段によって静止画と動画を撮影可能な撮像装置であって、前記撮像手段から出力された画像データを一時的に記憶する記憶手段と、静止画の撮影を指示する第１の指示手段と、動画の撮影を指示する第２の指示手段と、を有し、前記第２の指示手段は、前記撮像手段から出力される画像データのうち、所定の条件を満たし、かつ前記第１の指示手段によって行われた前記静止画の撮影に用いられた画像データを含む動画区間を動画として撮影することを指示することを特徴とする。
【０００９】
また、本発明は、請求項１２に記載の通り、被写体を撮像し、前記被写体の画像データを出力する撮像手段によって静止画と動画を撮影可能な撮像装置の制御方法であって、前記動画の撮影中に、前記動画中のフレームに静止画再生用のマーキングをする第１のマーキングステップと、前記動画の撮影中に、前記動画中のフレームに動画再生用のマーキングをする第２のマーキングステップと、を有し、前記第２のマーキングステップでは、前記第１のマーキングステップでのマーキングに応じて、前記動画中のフレームのうち、所定の条件を満たし、かつ前記第１のマーキングステップにてマーキングされているフレームを含む動画区間の両端のフレームに前記動画再生用のマーキングをすることを特徴とする。
【００１０】
また、本発明は、請求項１３に記載の通り、被写体を撮像し、前記被写体の画像データを出力する撮像手段と、前記撮像手段から出力された画像データを一時的に記憶する記憶手段とを有し、静止画と動画を撮影可能な撮像装置の制御方法であって、静止画の撮影を指示する第１の指示ステップと、動画の撮影を指示する第２の指示ステップと、を有し、前記第２の指示ステップでは、前記記憶手段に記憶される画像データのうち、所定の条件を満たし、かつ前記第１の指示ステップによって行われた前記静止画の撮影に用いられた画像データを含む動画区間を動画として撮影することを指示することを特徴とする。
【発明の効果】
【００１１】
ユーザが煩雑な操作を必要とせずに、簡単におすすめ静止画とおすすめ動画を得ることができる。
【図面の簡単な説明】
【００１２】
【図１】撮像装置の構成を示す図
【図２】デジタル信号処理部の内部の構成を示す図
【図３】第１の実施形態の概略を示す図
【図４】第１の実施形態の動作フローを示す図
【図５】第２の実施形態の動作フローを示す図
【発明を実施するための形態】
【００１３】
＜第１の実施形態＞
図１は本実施形態における撮像装置の構成を示す図である。
光学系１０１は、入射した光を固体撮像素子上に結像させることで被写体を撮像する。光学系制御部１０２は、光学系１０１の露出やズーム、フォーカス、光学式ブレ補正等を制御する。固体撮像素子１０３は、結像させた光学像を電気信号に変換する。撮像系制御部１０４は、固体撮像素子を駆動するための制御系である。アナログ信号処理部１０５は、固体撮像素子の出力にクランプ、ゲインをかける等の処理を行う。アナログ／デジタル（Ａ／Ｄ）変換部１０６は、アナログ信号にデジタル変換を行い画像データとして出力する。本実施形態では、光学系１０１からＡ／Ｄ変換部１０６までを含めて撮像手段とし、撮像装置は、撮像手段から出力された画像データを単独、または連続して複数フレーム記録することで静止画及び動画を撮影可能としている。デジタル信号処理部１０７は、Ａ／Ｄ変換したデジタル信号から出力画像を生成する。内部記憶部１０８は、デジタル信号処理部にて出力画像を生成する際に一時的に画像データを格納する。インターフェース（Ｉ／Ｆ）部１０９は、生成した画像データを最終的に保存するための外部記憶装置とつながっている。画像表示部１１０は、生成された画像を表示する電子ファインダとしての機能を有する。振動検知部１１１は、光学式ブレ補正を行なうためのブレ量を検出する。ユーザーインターフェース（ＵＩ）１１２は、撮影者が行う操作を各部への指示信号へと変換する。
【００１４】
図２は本発明の撮像装置のうち、デジタル信号処理部の構成を示す図である。
まず、Ａ／Ｄ変換部１０６から入力されるデジタル画像信号は、画像生成部２０１にて画像処理が施される。その後前述したように一時的に内部記憶部１０８に画像データは格納され、記録指示部２０４から記録の指示が出た場合、圧縮部２０２にて設定に従って必要であれば画像データを圧縮し、Ｉ／Ｆ部１０９から画像ファイルとして記録メディアに記録する。また、画像生成部２０１にて画像処理を施した信号は、顔検出部２０５にて顔を検出するとともに笑顔検出部２０６にて笑顔を検出し、その結果をシーン／トリガ検知部２０３に入力する。顔検出部２０５で用いられる顔検出方法に特に制限はなく、任意かつ公知の方法を適用することができる。公知の顔検出技術としては、ニューラルネットワークなどを利用した学習に基づく手法、テンプレートマッチングを用いて目、鼻、口等の形状に特徴のある部位を画像から探し出し、類似度が高ければ顔とみなす手法などがある。また、他にも、肌の色や目の形といった画像特徴量を検出し、統計的解析を用いた手法等、多数提案されている。これらの手法を複数組み合わせ、顔検出の精度を向上させることもできる。具体的な例としては特開２００２−２５１３８０号公報に記載のウェーブレット変換と画像特徴量を利用して顔検出する方法などが挙げられる。また、笑顔検出部２０６で用いられる検出方法も特に制限はなく、任意かつ公知の方法を適用することができる。例えば、特開２００５−２３４６８６号公報に記載の方法では、まず、肌色検出により画像から顔領域が特定され、その顔領域内の特徴に基づいて唇領域や歯領域（口領域）が特定される。そして、その唇領域に外接する矩形の高さが唇領域の外径ｄ１として、唇領域に内接する矩形の高さが唇領域の内径ｄ２として、それぞれ求められ、さらに、口領域の面積ｓ１と歯領域の面積ｓ２が求められる。次に、ｄ２をｄ１で除することにより、口の開き具合を示すパラメータＡが求められ、ｓ２をｓ１で除することにより、歯の見え具合を示すパラメータＢが求められる。そして、そのパラメータＡおよびパラメータＢの各値が、それぞれ、所定の閾値ＴｈＡ、閾値ＴｈＢと比較され、笑顔指数テーブルに基づいて、笑顔の判定が行われる。例えば、パラメータＡが閾値ＴｈＡ以下の場合、または、パラメータＢが閾値ＴｈＢ以下の場合、笑顔ではないと判定される。パラメータＡが閾値ＴｈＡより大きく、かつ、パラメータＢが閾値ＴｈＢより大きい場合、各パラメータの値によって、笑顔らしさ大、または、笑顔らしさ小と判定される。
【００１５】
また、Ａ／Ｄ変換部１０６から入力されるデジタル画像信号は、焦点制御（ＡＦ）部２０７及び露出制御（ＡＥ）部２０８に入力され、焦点調節及び露出制御情報が光学系制御部１０２にフィードバックする。
【００１６】
また、振動検知部１１１からの振動情報をもとにブレ検出部２０９にてブレ量を演算して光学系制御部１０２にフィードバックする。
【００１７】
ユーザーインターフェース（ＵＩ）部１１２からはユーザー発意のシャッタートリガ（ＳＷ２）がシーン／トリガ検知部２０３に入力される。シーン／トリガ検知部２０３は入力された信号に基づいて記録指示部２０４に指示信号を送る。記録指示部２０４は指示信号の指示に従って、前記圧縮部２０２から送られてくる画像データ（フレーム）に、静止画再生用または動画再生用のマーキングを行う（第１及び第２のマーキング手段）。
【００１８】
図３は本発明の、第１の実施形態の概略を説明する図である。本実施形態では、撮影された動画中の所定の条件を満たすおすすめ動画及びおすすめ静止画に該当する動画区間及びフレームにマーキングをしておくことができる。こうしておくことで、この動画ファイルをおすすめ動画やおすすめ静止画を再生するモードや設定で再生させる場合、マーキングされたフレームを基に簡単に再生させることができる。すなわち、簡単におすすめ動画及びおすすめ静止画を再生できる動画ファイルを得ることができる。本実施形態では、おすすめ動画の所定の条件として、画像データ中に顔が検出されていること、おすすめ静止画としては、画像データ中に特に被写体から笑顔が検出されたときを設定する。
【００１９】
まず、動画撮影中に顔の状態が３０１から３０５の状態であったとする。顔が検出されない状態（図では横顔）３０１から顔が検出された状態３０２に移ったとき、おすすめ動画の開始マーク位置の候補として今顔検出されたフレーム番号を一時保管する。そして笑顔が検出された状態３０３になった場合、該当のフレームにおすすめ静止画のマーク（３０６）を記録する。同時に、一時保管しておいたＦｒ番号がおすすめ静止画を含むおすすめ動画の開始場所として確定するので、該当フレームにおすすめ動画マーク（３０７）を記録する。その後顔を検出しなくなる状態３０５となった場合、その直前の顔を検出していたフレーム３０４におすすめ動画の終了マークを記録する（３０８）。これによりおすすめ動画期間は３０９となる。
【００２０】
図４は上記の処理を行うための本実施形態の動作フローを示す図である。この処理はデジタル信号処理部１０７で行われる。
【００２１】
図４（ａ）は全体フローを示す。動画記録中に画像データが毎フレーム入力される状態において（Ｓ４０１）、顔が検出されたら（Ｓ４０２）、直前のフレームで顔が検出されていたかを判定する（Ｓ４０３）。顔が検出されていなかった（最初の顔である）場合は顔Ｆｒ番号を一時記憶する一時記憶部（第１のバッファ、顔Ｂｕｆ）にＦｒ番号を記憶する（Ｓ４０４）。次に笑顔検出し（Ｓ４０５）、笑顔が検出されたら開始マーク処理Ｓ４０６を実行する。Ｓ４０３にて最初の顔でないと判断した場合はそのままＳ４０５の笑顔検出判定を行なう。Ｓ４０６の開始マーク処理を終了したら最初の待機状態に戻り、Ｓ４０１のＦｒ入力があるか否かの判定を行なう。Ｓ４０５にて笑顔を検出しなかった場合はＳ４０１のＦｒ入力判定に戻る。Ｓ４０２にて顔検出されなかった場合、終了マーク処理Ｓ４０７を行ない、Ｓ４０１のＦｒ入力判定に戻る。さらに、Ｓ４０１にてＦｒ入力がされなかった場合（記録終了）、Ｓ４０７の終了マーク処理を行ない、終了する。
【００２２】
図４（ｂ）に開始マーク処理のフローを示す。開始マーク処理が始まるのは笑顔が検出されたときであり、このフレームがおすすめ静止画となるので、まずこの笑顔が検出されたフレームにマークを記録する。同時に笑顔が検出されたフレームのＦｒ番号を一時記憶部（第２のバッファ、笑顔Ｂｕｆ）に記憶しておく。次に、バッファに一時記憶したＦｒ番号のフレームが、おすすめ動画の開始フレームとして確定するので、当該フレームにおすすめ動画開始マークを記録し（Ｓ４０８）、終了する。
【００２３】
図４（ｃ）に終了マーク処理のフローを示す。終了マーク処理が始まるのはフレーム入力がなくなった場合、または顔が検出されない場合であり、このとき、おすすめ動画が終了と判断される可能性がある。笑顔Ｂｕｆ（第２のバッファ）にデータがある場合（Ｓ４０９）、笑顔シーンを経て、今の状況に移ったことになるので、笑顔Ｂｕｆをクリアするとともに、顔が検出されなかったフレームの直前のフレームにおすすめ動画終了マークを記録する（Ｓ４１０）。そして顔Ｂｕｆをクリアし（Ｓ４１１）、終了する。Ｓ４０９にて笑顔Ｂｕｆにデータがない場合、仮にその前のフレームまでに顔が検出されていたとしても、笑顔が検出されていないため、おすすめ動画の期間とはならないので、Ｓ４１１で顔Ｂｕｆをクリアし終了する。この開始マーク処理及び終了マーク処理によって、おすすめ動画としては、記録された動画中の所定の条件を満たしおすすめ静止画を含む動画区間が指定されるように、その動画区間の両端のフレームにマークが記録されたことになる。
【００２４】
本実施形で作成された動画ファイルを再生するときには、おすすめ静止画再生の場合、おすすめ静止画マークの記録されたフレームをスキャンして、複数ある場合は順に表示されるようになる。おすすめ動画再生の場合、おすすめ動画マークの記録されたフレームをスキャンして、マークの記録されたフレームから再生される。
【００２５】
おすすめ動画、おすすめ静止画マークの記録形式は上記の方法に限定されない。例えば、別途マーク一覧をファイルとしてもつ、動画ファイルにヘッダ・フッタとしてまとめて付加される、などが考えられる。これらの場合、再生の際にはマークの記録されたファイルを参照して、該当するフレーム番号から再生が行われることになる。
【００２６】
以上のように、本発明では、ユーザが撮影中または記録後に、動画と静止画のそれぞれについて自らおすすめシーンを決め（あるいは探し出し）、マークを付けるといった煩雑な操作を必要とせずに、簡単におすすめ静止画とおすすめ動画を得ることができる。
【００２７】
本実施形態では、おすすめ動画の開始基準として顔検出、おすすめ静止画の開始基準として笑顔検出として処理を行う例を示したが、設定されるものはこれに限定されない。例えば、動体検出がされた場合をおすすめ動画の開始基準とし、その動体が中央エリアに来たときにおすすめ静止画とする場合なども考えられる。この場合、顔検出部２０５、笑顔検出部２０６の代わりに不図示の動き検出部２１０がデジタル信号処理部１０７内に配され、動体検出が行われる。動体検出は、被写体の動き方向と大きさを表す動きベクトルを用いて判断する（フレーム間で、動きベクトルを算出する）。前フレームと対象フレームのブロックをシフトさせ、最もよくマッチングする部分を検出し、動きベクトルを算出する。これらの詳細な検出方法の説明については周知の技術であるため省略する。また、おすすめ動画の開始基準として音が検出されたときや輝度の急激な変化があったときなどとし、動体が中央エリアに来たときなどにおすすめ静止画とすることで、監視用途などへの利用も考えられる。
【００２８】
＜第２の実施形態＞
本実施形態は、ユーザが静止画撮影を行うに当たって、レリーズを押して本撮影が行われたとき、そのタイミングの静止画（おすすめ静止画）と、前後の様子を撮影した動画（おすすめ動画）を保存する処理に関するものである。具体的に、本実施形態では、焦点制御部２０７（合焦判定手段）による焦点制御（ＡＦ）情報をもとに合焦状態を判定し、図１の１１２のＳＷ２押下を検出して、おすすめ静止画像とおすすめ動画像を生成して記録する。本実施形態では、撮像手段から出力された画像データは一定時間分、一時的に内部記憶部１０８に記憶されている。また、本実施形態では、記録指示部２０４がシーン／トリガ検知部２０３の指示信号を受けて静止画または動画の撮影を指示することができる（第１及び第２の指示手段）。
【００２９】
図５は第２の実施形態の動作フローを示す図である。図５（ａ）は全体フローを示す。画像データが毎フレーム入力される状態において（Ｓ５０１）、合焦状態であったら（Ｓ５０２）、直前のフレームが合焦状態であったかを判定（Ｓ５０３）する。合焦状態でなかった（最初の合焦フレームである）場合は、合焦Ｆｒ番号を一時記憶する一時記憶部（第１のバッファ、合焦Ｂｕｆ）にＦｒ番号を記憶する（Ｓ５０４）。次にＳＷ２押下を検出し（Ｓ５０５）、ＳＷ２押下を検出したら記録開始処理Ｓ５０６を実行する。Ｓ５０３にて最初の合焦フレームでないと判断した場合はそのままＳ５０５のＳＷ２押下検出判定を行う。Ｓ５０６の開始マーク処理を終了したら最初の待機状態に戻りＳ５０１のＦｒ入力か否かの判定を行う。Ｓ５０５にてＳＷ２押下を検出しなかった場合は、Ｓ５０１のＦｒ入力判定に戻る。Ｓ５０２にて合焦点状態でなかった場合、記録終了処理Ｓ５０７を行ない、Ｓ５０１のＦｒ入力判定に戻る。さらに、Ｓ５０１にてＦｒ入力がされなかった場合（記録終了）、Ｓ５０７の終了マーク処理を行ない、終了する。
【００３０】
図５（ｂ）に記録開始処理のフローを示す。ＳＷ２押下Ｆｒ番号を一時記憶する一時記憶部（第２のバッファ、ＳＷ２Ｂｕｆ）にＦｒ番号を記憶し、ＳＷ２Ｂｕｆに一時記憶したＦｒ番号に該当するフレームをおすすめ静止画像として生成し記録する。並行して合焦Ｂｕｆに一時記憶したＦｒ番号に該当するフレーム以降のフレームをおすすめ動画像として生成し記録開始する（Ｓ５０８）。
【００３１】
図５（ｃ）に記録終了処理のフローを示す。ＳＷ２Ｂｕｆにデータがある場合（Ｓ５０９）、ＳＷ２Ｂｕｆをクリアするとともに、おすすめ動画像記録を終了する（Ｓ５１０）。そして合焦Ｂｕｆをクリアし（Ｓ５１１）、終了する。Ｓ５０９にてＳＷ２Ｂｕｆにデータがないと判断した場合、Ｓ５１１で合焦Ｂｕｆをクリアし終了する。この記録開始処理及び記録終了処理によって、おすすめ動画としては、内部記憶部１０８に一時的に記憶されている動画のうち、所定の条件を満たしおすすめ静止画を含む動画区間が記録されることになる。
【００３２】
以上のように、本発明では、ユーザが撮影中または記録後に、動画と静止画のそれぞれについて自らおすすめシーンを決め（あるいは探し出し）、マークを付けるといった煩雑な操作を必要とせずに、簡単におすすめ静止画とおすすめ動画を得ることができる。
【００３３】
本実施形態においても、第１の実施形態と同様に、おすすめ動画及びおすすめ静止画の基準には様々なものが適用できる。第１の実施形態と同様に、おすすめ動画の開始基準として顔検出、おすすめ静止画の開始基準として笑顔検出として笑顔検出をトリガにしてレリーズＳＷを押下させるようにしてもよい。また、動体が中央エリアに来たときをおすすめ静止画のトリガとし、その前後一定時間の動画をおすすめ動画として記録することなども考えられる。
【００３４】
本発明の目的は以下のようにしても達成できる。すなわち、前述した各実施形態の機能を実現するための手順が記述されたソフトウェアのプログラムコードを記録した記憶媒体を、システムまたは装置に供給する。そしてそのシステムまたは装置のコンピュータ（またはＣＰＵ、ＭＰＵ等）が記憶媒体に格納されたプログラムコードを読み出して実行するのである。
【００３５】
この場合、記憶媒体から読み出されたプログラムコード自体が本発明の新規な機能を実現することになり、そのプログラムコードを記憶した記憶媒体およびプログラムは本発明を構成することになる。
【００３６】
また、プログラムコードを供給するための記憶媒体としては、例えば、フレキシブルディスク、ハードディスク、光ディスク、光磁気ディスクなどが挙げられる。また、ＣＤ−ＲＯＭ、ＣＤ−Ｒ、ＣＤ−ＲＷ、ＤＶＤ−ＲＯＭ、ＤＶＤ−ＲＡＭ、ＤＶＤ−ＲＷ、ＤＶＤ−Ｒ、磁気テープ、不揮発性のメモリカード、ＲＯＭ等も用いることができる。
【００３７】
また、コンピュータが読み出したプログラムコードを実行可能とすることにより、前述した各実施形態の機能が実現される。さらに、そのプログラムコードの指示に基づき、コンピュータ上で稼動しているＯＳ（オペレーティングシステム）等が実際の処理の一部または全部を行い、その処理によって前述した各実施形態の機能が実現される場合も含まれる。
【００３８】
更に、以下の場合も含まれる。まず記憶媒体から読み出されたプログラムコードが、コンピュータに挿入された機能拡張ボードやコンピュータに接続された機能拡張ユニットに備わるメモリに書き込まれる。その後、そのプログラムコードの指示に基づき、その機能拡張ボードや機能拡張ユニットに備わるＣＰＵ等が実際の処理の一部または全部を行う。
【符号の説明】
【００３９】
１０１  光学系
１０２  光学系制御部
１０３  撮像素子
１０４  撮像系制御部
１０５  アナログ信号処理部
１０６  Ａ／Ｄ変換部
１０７  デジタル信号処理部
【図１】
2011109253.tif 000003
【図２】
2011109253.tif 000004
【図３】
2011109253.tif 000005
【図４】
2011109253.tif 000006
【図５】
2011109253.tif 000007